(57)【要約】【課題】発熱を低減でき、一般照明および非常照明の効果を兼ね備える埋め込み式ＬＥＤランプを提供する。【解決手段】埋め込み式ランプにおいて、ランプハウジング１に装着される発光ユニット４は、ＬＥＤランプ４１を光源として使用する。キャップ５は、通風孔５０を有する。これにより、電球に比べて発熱が少なく、熱を通風孔５０から外部へ拡散させることができるため、発熱を低減できる。また、制御装置３に配置された電源処理回路を介して一般の都市電気を低圧直流電流に転換し、電池２、２０を充電することによって、都市電気が停電した時に非常照明の機能を果たすことが可能である。都市電気が復旧した時に一般照明として使用し、一般照明および非常照明の効果を兼ね備えることができる。【選択図】  図１
0003158930.tif 000002
【実用新案登録請求の範囲】
【請求項１】
頂面に形成される開口部と、前記開口部に向かい合う密閉端に形成される装着孔と、前記開口部および前記装着孔に直交する縦方向溝が内部に形成される収納空間と、を有するランプハウジングと、
前記装着孔に被さるカバーと、
前記ランプハウジングの内部の縦方向溝内に別々に装着される二つの充電式電池である電池セットと、
前記ランプハウジングの内部の縦方向溝内に装着され、電源処理回路、制御回路、および、定電流回路を有する回路基板を備える制御装置と、
前記ランプハウジングの前記装着孔に装着され、ＬＥＤランププレートと、該ＬＥＤランププレートに配置されたＬＥＤランプを有する発光ユニットと、
前記ランプハウジングの前記開口部に被さり、通風孔と、前記回路基板の固定に用いる嵌合溝とを有するキャップと、
を備えることを特徴とする埋め込み式ＬＥＤランプ。
【請求項２】
前記回路基板は、テストスイッチと、電源指示ランプと、上向きの端子接続孔を有する照明スイッチ接続端子と、当該回路基板に電気的に接続される電源入力端子と、を有することを特徴とする請求項１に記載の埋め込み式ＬＥＤランプ。
【請求項３】
前記テストスイッチおよび前記電源指示ランプは、前記発光ユニットとともに前記ランプハウジングの密閉端面に配置されることを特徴とする請求項２に記載の埋め込み式ＬＥＤランプ。
【請求項４】
前記制御装置は、交換式給電回路、制御回路、および、定電流装置を有する回路基板を備えることを特徴とする請求項１に記載の埋め込み式ＬＥＤランプ。
【請求項５】
前記カバーは、外周の両側から伸びて形成された板体を有し、該板体が前記回路基板上のテストスイッチに突き当たることによって該テストスイッチの開閉を制御可能であることを特徴とする請求項１に記載の埋め込み式ＬＥＤランプ。
【請求項６】
照明スイッチ接続端子、電源入力端子および電源スイッチは、前記ランプハウジングの両側外部に配置されることを特徴とする請求項１に記載の埋め込み式ＬＥＤランプ。
【考案の詳細な説明】
【技術分野】
【０００１】
本考案は、埋め込み式ＬＥＤランプに関し、詳しくは一般照明および非常照明の機能を兼ね備える高輝度、高安全性の埋め込み式ランプに関するものである。
【背景技術】
【０００２】
従来の非常照明ランプは、通路の最低可視度を維持するため、供給された照明輝度が通常不十分である。特に従来の非常照明ランプは体積が比較的大きいだけでなく、電源の通電差し込み口のあたりに配置しなければならないため、部屋の内装および美観を損なうことがあり、かつ配置位置が制限される。従って現今の室内照明は、埋め込み式ランプおよび非常照明ランプを合併し、内装された壁面に配置する形であるため、外観の協調性が崩れてしまう。
【０００３】
しかしながら、従来の内装にあわせて美感を表現できる埋め込み式ランプは、非常照明の機能が付かず、従来の電球を光源として使用するため、使用寿命が短いだけでなく、照射の際に高熱のエネルギーが生じたことが原因で内装の材料を変質させてしまう。
【考案の概要】
【考案が解決しようとする課題】
【０００４】
本考案は上述の問題を解決するためになされたものであり、本考案の目的は、照明器具として発熱を低減でき、かつ、一般照明および非常照明の機能を兼ね備える埋め込み式ＬＥＤランプを提供することである。
【課題を解決するための手段】
【０００５】
本考案による埋め込み式ランプは、ランプハウジング、カバー、電池セット、制御装置、発光ユニット、および、キャップを備える。
ランプハウジングは、頂面に形成される開口部と、開口部に向かい合う密閉端に形成される装着孔と、開口部および装着孔に直交する縦方向溝が内部に形成される収納空間と、を有する。
カバーは装着孔に被さる。
電池セットは、ランプハウジングの内部の縦方向溝内に別々に装着される二つの充電式電池である。
制御装置は、ランプハウジングの内部の縦方向溝内に装着され、電源処理回路、制御回路、および、定電流回路を有する回路基板を備える。
発光ユニットは、ランプハウジングの装着孔に装着され、ＬＥＤランププレートと、ＬＥＤランププレートに配置されたＬＥＤランプを有する。
キャップは、ランプハウジングの開口部に被さり、通風孔を有し、内側に回路基板の固定に用いる嵌合溝を有する。
【０００６】
本考案は、ランプハウジングの内部の収容空間に頂面の開口部に垂直の若干の縦方向溝を配列し、キャップの嵌合溝をランプハウジングの頂面上の開口部に位置付けることによって電池および回路基板を縦方向に固定し、発光ユニットの上方に通風孔を形成することが可能であるため、発光ユニットに生じる高温を通風孔からランプハウジングの外部に迅速に拡散させ、温度を下げ、使用寿命を延ばすことができる。
【０００７】
本考案では、ＬＥＤと埋め込み式ランプの構造とを統合した照明器具を提供する。
ＬＥＤと埋め込み式ランプの構造とを統合した照明器具は、ＬＥＤを光源として使用し、かつ非常照明および一般照明の効果を兼ね備える埋め込み式ランプであり、埋め込み式ランプは省エネルギーかつ低発熱の構造を有する。
また、ＬＥＤと埋め込み式ランプの構造とを統合した照明器具は、制御装置に配置された電源処理回路を介して一般の都市電気を低圧直流電流に転換し、電池を充電することによって、都市電気が停電した時に非常照明の機能を果たすことが可能である。都市電気が復旧した時に一般照明として使用し、一般照明および非常照明の効果を兼ね備えることができる。
【０００８】
また、回路基板は、テストスイッチと、電源指示ランプと、上向きの端子接続孔を有する照明スイッチ接続端子と、回路基板に電気的に接続される電源入力端子と、を有することもできる。この場合、テストスイッチおよび電源指示ランプは、発光ユニットとともにランプハウジングの密閉端面に配置されてもよい。
【０００９】
また、制御装置は、交換式給電回路、制御回路および定電流装置を有する回路基板を備えてもよい。
また、カバーは、外周の両側から伸びて形成された板体を有し、該板体が回路基板上のテストスイッチに突き当たることによって該テストスイッチの開閉を制御可能としてもよい。
また、照明スイッチ接続端子、電源入力端子および電源スイッチは、ランプハウジングの両側外部に配置されてもよい。
【図面の簡単な説明】
【００１０】
【図１】本考案の一実施形態による埋め込み式ＬＥＤランプを示す分解斜視図である。
【図２】本考案の一実施形態による埋め込み式ＬＥＤランプを組み立てる状態の一部分を示す斜視図である。
【図３】本考案の一実施形態による埋め込み式ＬＥＤランプを示す断面図（一）である。
【図４】本考案の一実施形態による埋め込み式ＬＥＤランプを示す断面図（二）である。
【図５】本考案の一実施形態による埋め込み式ＬＥＤランプの回路を示す模式図である。
【図６】本考案の一実施形態による埋め込み式ＬＥＤランプが組み立てられた後の状態を示す斜視図である。
【図７】本考案の一実施形態による埋め込み式ＬＥＤランプの装着が完了した状態を示す模式図である。
【図８】本考案の一実施形態による埋め込み式ＬＥＤランプが熱を放散する状態を示す模式図である。
【図９】本考案の別の一実施形態による埋め込み式ＬＥＤランプを示す模式図である。
【図１０】本考案の別の一実施形態による埋め込み式ＬＥＤランプを示す分解斜視図である。
【図１１】本考案の別の一実施形態による埋め込み式ＬＥＤランプを示す断面図である。
【図１２】本考案の別の一実施形態による埋め込み式ＬＥＤランプの一部分を示す断面図である。
【図１３】本考案の別の一実施形態による埋め込み式ＬＥＤランプの使用状態を示す模式図である。
【考案を実施するための形態】
【００１１】
以下、本考案による一般照明および非常照明の機能を兼ね備える埋め込み式ＬＥＤランプを図面に基づいて説明する。
（一実施形態）
図１、図２、図３および図４に示すように、本考案の一実施形態による一般照明および非常照明の機能を兼ね備える埋め込み式ＬＥＤランプは、ランプハウジング１と、ランプハウジング１内部に装着される二つの電池２、２０からなる電池セットと、制御装置３と、発光ユニット４と、ランプハウジング１の頂面上の開口部１０に装着されるキャップ５とを備える。
【００１２】
ランプハウジング１は、頂面に形成された開口部１０と、密閉端に形成された比較的広い拡張面１００と、拡張面１００上に形成された装着孔１０１と、装着孔１０１に被さるカバー１１とを有する。かつ図２および図３に示すように制御装置３の回路基板３０と二つの電池２、２０とを互いに対応させて装着するため、ランプハウジング１は内側に拡張面１００に垂直に突出して形成された少なくとも一つの縦方向溝１２を有する。
【００１３】
電池セットの二つの電池２、２０は、ランプハウジング１の頂面上の開口部１０からランプハウジング１の内側の縦方向溝１２に差し込まれ、かつ導線（図中未表示）によって制御装置３に電気的に接続される充電式電池である。
【００１４】
図４および図５に示すように、制御装置３は、回路基板３０および回路基板３０上に配置された電源処理回路３１、制御回路３２および定電流回路３３を有する。回路基板３０は下端にテストスイッチ３０２および下向きの電源表示ランプ３０３を有し、上端の両側に照明スイッチ接続端子３０１、電源入力端子３００および上向きの電源スイッチ３０４を有する。電源処理回路３１は一般電源（ＡＣ１００−２４０Ｖ）を受け、一般電源を低圧直流電流に転換することによって充電電池および一般照明としてのランプに給電する。制御回路３２は電源の給電状態を検知し、かつ一般電源が給電を停止する際、電池によって定電流回路３３を介してＬＥＤランプに給電し、停電の際の照明を維持することが可能である。
【００１５】
発光ユニット４は、ＬＥＤランププレート４０、ＬＥＤランププレート４０上に配置された若干のＬＥＤランプ４１および固定端子４２を有する。ＬＥＤランププレート４０は固定端子４２によって制御装置３の回路基板３０に固定される。
【００１６】
キャップ５は、フック５００によってランプハウジング１上の係合孔１５に係合されることでランプハウジング１の頂面上の開口部１０に被さる。キャップ５は表面に一つ以上の通風孔５０、二つの通線孔５２、５３および制御装置３０の電源スイッチ３０４に対応する貫通孔５１を有する。本考案は、二つの通線孔５２、５３によって回路基板３０上の電源入力端３００と照明スイッチ接続端子３０１とを互いに対応させて外部に露出させ、接続の便をはかり、貫通孔５１によって電源スイッチ３０４を露出させて配置することが可能である。
【００１７】
ランプハウジング１が封じられる際、通風孔５０はランプハウジング１の内部の収納空間に連続することが可能である。図４に示すように、キャップ５は内側面に嵌合溝５１０を有するため、ランプハウジング１が封じられる際、制御装置３上の回路基板３０は固定され、かつＬＥＤランププレート４０に垂直の縦向きに配列され、ＬＥＤランププレート４０は後方にキャップ５の通風孔５０に連続する通風空間４００が形成される。
【００１８】
上述したとおり組み立てられて完成した埋め込み式ランプ本体は、図６に示したとおりである。内装にあわせて埋め込み式ランプを所定の取付孔に埋め込む際、ランプハウジング１の両側の固定用弾性ユニット６によって埋め込み式ランプを棚、箪笥、室内の天井または壁などに固定することが可能である。
【００１９】
図５に示すように、埋め込み式ランプの回路制御方法は、次のとおりである。電源線が通電した後、電源処理回路３１によって電池２６を充電し、待機状態を呈する際、ＬＥＤランプ４１は発光しないため、壁面上の照明スイッチ６０を入れ、かつ制御回路３２によって一般電源から定電流回路３３を介して給電されるＬＥＤランプ４１を制御し、ＬＥＤランプ４１を一般照明用ランプとして発光させる。一般電源が停電する際、壁面上の照明スイッチ６０を入れたか否かにもかかわらず、電池はＬＥＤランプ４１に電源を供給し、ＬＥＤランプを非常照明用ランプとして発光させる。
【００２０】
かつ取付工事が完了した後、ＬＥＤランプの非常照明効果を迅速にテストするために、本考案は拡張面１００上にテストスイッチ３０２を配置する。図７に示すようにテストスイッチ３０２を入れて一般電源を遮断し、停電現象を生じることによってＬＥＤランプ４１および電源指示ランプ３０３が発光するか否かをテストし、照明設備の状態および電源量を確認することが可能である。
【００２１】
図８に示すように、埋め込み式ランプが一般照明に使用されるか非常照明に使用されるかにかかわらず、ＬＥＤランプに生じる高温は熱気が上昇するという原理によってＬＥＤランププレート４０の後方の通風空間４００からランプハウジング１の外部へ拡散するため、ＬＥＤランプの高温を迅速に下げ、ＬＥＤランプを保護し、使用寿命を延ばすことが可能である。
【００２２】
図９に示すのは、回路基板３０上の照明スイッチ接続端子３０１および電源入力端子３００の配置位置の別の一つの実施形態である。電源コネクターと電気的に接続する便をはかるために、照明スイッチ接続端子３０１および電源入力端子３００の端子接続孔はランプハウジング１の側面に位置付けられる。
【００２３】
図１０および図１１に示すのは、美観を増すために、テストスイッチ３０２が隠れるように設計される実施形態である。二つのテストスイッチ３０２は回路基板３０の下端の両側に配置され、二つのテストスイッチ３０２に対応するカバー１１は外周から伸びて形成された板体１１０、１１１を有し、板体１１０、１１１によって二つのテストスイッチ３０２に突き当たる。板体１１０、１１１は装着孔１０１の壁面１０２上の欠け口１０３内に入り込んで固定される。かつカバー１１は外周に装着孔１０１と合わさる斜面１１２を有し、かつ上下に移動できるように設計される。
【００２４】
停電の際のランプの発光機能をテストしようとする時、図１２に示すようにカバー１１を押し、両側の板体１１０、１１１を上に動かし、テストスイッチ３０２に突っ張り、起動状態を呈すると、図１３に示すように電源指示ランプ３０３が発光するか否か、即ち指示状態を確認することが可能である。
【符号の説明】
【００２５】
１：ランプハウジング、  １０：開口部、  １００：拡張面、  １０１：装着孔、  １０２：壁面、  １０３：欠け口、  １１：カバー、  １１０：板体、  １１１：板体、  １２：縦方向溝、  １５：係合孔、  ２、２０：電池（電池セット）、  ２６：電池、  ３：制御装置、  ３０：回路基板、  ３００：電源入力端子、  ３０１：接続端子、  ３０２：テストスイッチ、  ３０３：電源指示ランプ、  ３０４：電源スイッチ、  ３１：電源処理回路、  ３２：制御回路、  ３３：定電流回路、  ４：発光ユニット、  ４０：ランププレート、  ４００：通風空間、  ４１：ＬＥＤランプ、  ４２：固定端子、  ５：キャップ、  ５０：通風孔、  ５００：フック、  ５１：貫通孔、  ５１０：嵌合溝、  ５２：通線孔、  ５３：通線孔、  ６：固定用弾性ユニット、  ６０：照明スイッチ
【図１】
0003158930.tif 000003
【図２】
0003158930.tif 000004
【図３】
0003158930.tif 000005
【図４】
0003158930.tif 000006
【図５】
0003158930.tif 000007
【図６】
0003158930.tif 000008
【図７】
0003158930.tif 000009
【図８】
0003158930.tif 000010
【図９】
0003158930.tif 000011
【図１０】
0003158930.tif 000012
【図１１】
0003158930.tif 000013
【図１２】
0003158930.tif 000014
【図１３】
0003158930.tif 000015